(57)【要約】【課題】脚部を備える構成において、コンベアによる搬送効率の向上を図ることのできる容器を提供する。【解決手段】容器１は、平面視略矩形状の底壁構成部５と、底壁構成部５の各側辺部からそれぞれ上方に延出する側壁部６、７とを具備し、内側の収容空間３に対して物品を収容可能に構成されている。底壁構成部５は、収容空間３の底面を構成する底壁部９と、底壁部９の下面から下方に突出する脚部１０とを備えている。脚部１０は、底壁部９と一体的に形成される脚部本体１０ａと、脚部本体１０ａとは別体として構成されるとともに、脚部本体１０ａに対して取付けられ、容器１が設置面に設置される場合に、該設置面に面で接地する接地部材３１とを備えている。【選択図】      図３
2020142815.tif 000002
【特許請求の範囲】
【請求項１】
平面視略矩形状の底壁構成部と、前記底壁構成部の各側辺部からそれぞれ上方に延出する側壁部とを具備し、内側の収容空間に対して物品を収容可能な容器において、
前記底壁構成部は、前記収容空間の底面を構成する底壁部と、前記底壁部の下面から下方に突出する脚部とを備え、
前記脚部は、前記底壁部と一体的に形成される脚部本体と、前記脚部本体とは別体として構成されるとともに、前記脚部本体に対して取付けられ、容器が設置面に設置される場合に、該設置面に面で接地する接地部材とを備えていることを特徴とする容器。
【請求項２】
前記脚部本体には、前記接地部材が取付けられる取付部が設けられ、
前記接地部材は、前記取付部に設けられた被係止部に対し、前記接地部材の前記取付部への取付方向先方側に配置されて対向し、当接、又は、近接する係止部を備えていることを特徴とする請求項１に記載の容器。
【請求項３】
前記接地部材のうち当該接地部材を下面視した場合に前記係止部が設けられた端部側とは反対側の端部に対応して設けられ、前記接地部材、及び、前記取付部のうち少なくとも一方側から突出して、他方に圧接される押圧部を備えていることを特徴とする請求項２に記載の容器。
【請求項４】
前記脚部本体は、前記底壁構成部の各側辺部と略平行する方向に延びる４つの外壁部を具備し、下方に開口する略筒状をなし、
前記接地部材は、容器が設置面に設置される場合に該設置面に接地する部材接地面を有し、
前記部材接地面は、下面視で、前記脚部本体の内側の２側面に沿った略Ｌ字状をなしていることを特徴とする請求項１乃至３のいずれかに記載の容器。
【発明の詳細な説明】
【技術分野】
【０００１】
本発明は、物品の運搬等に使用される容器に関するものである。
【背景技術】
【０００２】
従来、物品の運搬等に使用される箱型の容器は、平面視略矩形状の底壁構成部と、底壁構成部の各側辺部から上方に延びる側壁部とを備えており、内側の収容空間に対して上方の開口部から物品を出し入れする構成となっている。また、底壁構成部において、収容空間の底面を構成する底壁部と、底壁部の下面から下方に突出する脚部を備えた容器が知られている（例えば、特許文献１等参照。）。
【先行技術文献】
【特許文献】
【０００３】
【特許文献１】実開平６−３２３２８号公報
【発明の概要】
【発明が解決しようとする課題】
【０００４】
ところで、特許文献１に記載の容器は、脚部の下面側がリブ形状とされており、接地面積が比較的小さくなっている。このため、例えば、特許文献１の容器をチェーンコンベアやローラコンベアで搬送する場合に、脚部の下面と、コンベアとのかかり具合が不良となり、コンベアが空回りする等の不具合を招くおそれがある。また、脚部の下面側の摩耗が起こり易くなることが懸念される。さらに、脚部下面の面積が小さいことから、脚部下面の摩耗が、容器の床面等の設置面やコンベアへの設置状態に比較的大きな影響を及ぼす可能性が高く、容器を設置面に設置した場合にがたついたり、容器をコンベアで搬送する場合に前記空回りや容器の搬送方向が曲がる等の不具合が発生し易くなったりすることも懸念される。
【０００５】
本発明は、上記例示した問題点等を解決するためになされたものであって、その目的は、脚部を備える構成において、コンベアによる搬送効率の向上を図ることのできる容器を提供することにある。
【課題を解決するための手段】
【０００６】
以下、上記課題等を解決するのに適した各手段につき項分けして説明する。なお、必要に応じて対応する手段に特有の作用効果等を付記する。
【０００７】
手段１．平面視略矩形状の底壁構成部と、前記底壁構成部の各側辺部からそれぞれ上方に延出する側壁部とを具備し、内側の収容空間に対して物品を収容可能な容器において、
前記底壁構成部は、前記収容空間の底面を構成する底壁部と、前記底壁部の下面から下方に突出する脚部とを備え、
前記脚部は、前記底壁部と一体的に形成される脚部本体と、前記脚部本体とは別体として構成されるとともに、前記脚部本体に対して取付けられ、容器が設置面に設置される場合に、該設置面に面で接地する接地部材とを備えていることを特徴とする容器。
【０００８】
手段１によれば、脚部本体に接地部材を取付けることで、容器が設置される設置面に対して接地する脚部の接地面の面積を比較的大きく確保することができる。これにより、容器をチェーンコンベアやローラコンベアで搬送する場合においても、当該コンベアとの接地（接触）面積が増え、脚部の接地面と、コンベアとのかかり具合を良好なものとすることができる。従って、コンベアが空回りする等の事態を回避することができ、コンベアによる搬送効率の向上を図ることができる。
【０００９】
また、脚部の接地面の全体がリブ形状の場合に比べ、接地面を摩耗し難くすることができる上、接地面（接地部材）の一部が摩耗したとしても、接地面（接地部材）のその他の部位で、コンベア等への接地面積を確保することができ、摩耗の影響を小さくすることができる。従って、接地面が摩耗して、床面等の設置面やコンベアへの接地面積が小さくなってしまい、設置面に設置した場合にがたつきが生じたり、コンベアでの搬送に際し前記空回りや容器の搬送方向が曲がる等の事態が発生したりすることを防止することができる。
【００１０】
さらに、接地部材が取付けられる脚部本体の下面側はリブ形状とすることもでき、この場合には、脚部本体の上下方向における圧縮強度を確保しつつ、脚部本体を形成する金型構造の複雑化を抑制することができる。加えて、接地部材は、脚部本体とは別部材であって、脚部の専用部材のため、比較的容易に形状の精度を高くすることができる。従って、脚部の接地面（接地部材）の歪み等によって、コンベアでの搬送効率が下がるといった事態を回避することができる。また、接地部材は、劣化に応じて新しいものに交換したり、用途に応じて別種類のものに付替えたりすることも比較的容易に行うことができる。従って、脚部の下面側に不具合が生じただけで、容器全体を交換したり、脚部の下面側の形状を変更したいだけで、容器を複数種類用意したりすることを回避することができ、汎用性・利便性の向上、低コスト化、保管時の省スペース化等を図ることができる。尚、脚部を備えることで、底壁構成部の底壁部の下方にフォークリフト等のフォークを差し入れて容器を持ち上げることが可能となる。
【００１１】
手段２．前記脚部本体には、前記接地部材が取付けられる取付部が設けられ、
前記接地部材は、前記取付部に設けられた被係止部に対し、前記接地部材の前記取付部への取付方向先方側に配置されて対向し、当接、又は、近接する係止部を備えていることを特徴とする手段１に記載の容器。
【００１２】
手段２によれば、接地部材の取付部からの脱落を防止することができる上、取付部に対して接地部材をねじ等で取付ける場合に比べ、取付作業性の向上等を図ることができる。
【００１３】
手段３．前記接地部材のうち当該接地部材を下面視した場合に前記係止部が設けられた辺部側とは反対側の辺部に対応して設けられ、前記接地部材、及び、前記取付部のうち少なくとも一方側から突出して、他方に圧接される押圧部を備えていることを特徴とする手段２に記載の容器。
【００１４】
手段３によれば、押圧部において接地部材と取付部とが圧接されることとなり、取付部への取付状態にある接地部材のガタツキを防止することができる。特に、押圧部は、接地部材のうち係止部が設けられた辺部側とは反対側の辺部に対応して設けられているため、係止部の被係止部との係止状態が解除される側への変位を防止することができ、接地部材の取付部からの脱落をより確実に防止することができる。また、押圧部に代えて、係止部、及び、被係止部の数を増やす場合に比べ、接地部材、及び、取付部（成型金型）の構造の複雑化等を抑止しつつ、接地部材の取付状態の安定化を図ることができる。
【００１５】
手段４．前記脚部本体は、前記底壁構成部の各側辺部と略平行する方向に延びる４つの外壁部を具備し、下方に開口する略筒状をなし、
前記接地部材は、容器が設置面に設置される場合に該設置面に接地する部材接地面を有し、
前記部材接地面は、下面視で、前記脚部本体の内側の２側面に沿った略Ｌ字状をなしていることを特徴とする手段１乃至３のいずれかに記載の容器。
【００１６】
手段４によれば、底壁構成部のうち所定の側辺部をコンベアの搬送方向に平行させる向きで容器をコンベアに載せる場合、及び、底壁構成部のうち前記所定の側辺部に対して交差する（略直交する）方向に延びる側辺部をコンベアの搬送方向に平行させる向きで容器をコンベアに載せる場合のどちらにおいても、ローラコンベアのローラ等のワークと直接当接してワークを送る部材の長手幅方向に対して交差する方向における接地部材（部材接地面）の幅を確保することができる。従って、コンベアに載せる容器の向きによっては、コンベアと、接地部材の部材接地面とのかかり具合が悪くなってしまい、コンベアによる搬送効率の向上を図るといった作用効果が上手く奏されなくなってしまうといった事態を回避することができる。
【図面の簡単な説明】
【００１７】
【図１】容器の斜視図である。
【図２】容器本体の上面側を示す斜視図である。
【図３】容器本体の下面側を示す斜視図である。
【図４】容器本体の側面図である。
【図５】容器本体の平面図である。
【図６】容器本体の下面図である。
【図７】扉部を閉状態とした容器本体の部分拡大断面図である。
【図８】扉部を開状態とした容器本体の部分拡大断面図である。
【図９】脚部の下面側を示す部分拡大斜視図である。
【図１０】脚部の下面側を示す部分拡大斜視図である。
【図１１】接地部材を取外した状態の脚部（脚部本体）の下面側を示す部分拡大斜視図である。
【図１２】接地部材の下面（接地面）側の斜視図である。
【図１３】接地部材の上面（取付面）側の斜視図である。
【発明を実施するための形態】
【００１８】
以下に、一実施形態について図面を参照して説明する。図１に示すように、容器１は、上方に開口する略箱状をなし、内側の収容空間３に対して物品を収容可能な容器本体２と、収容空間３を仕切るようにして、容器本体２に対して着脱自在に取付けられた仕切り板４とを備えている。容器本体２は、平面視略矩形状の底壁構成部５と、底壁構成部５の相対する一対の長側辺部からそれぞれ上方に延出する長辺側側壁部６と、底壁構成部５の相対する一対の短側辺部からそれぞれ上方に延出する短辺側側壁部７とを備えている。本実施形態の容器１は、ポリプロピレンにより構成されている。
【００１９】
図１、図３、図７等に示すように、底壁構成部５は、収容空間３の底面を構成する略矩形平板状の底壁部９と、底壁部９の各短側辺部に沿って底壁部９の下面から下方に突出する一対の脚部１０と、一対の脚部１０の間の範囲において底壁部９から下方に突出して格子状に設けられた下面リブ１１とを備えている。下面リブ１１の下縁部は、脚部１０の下縁部よりも上方に位置しており、本実施形態の容器１は、一対の脚部１０により支持されるようになっている。各脚部１０には、フォークリフトのフォークを差込み可能なフォーク差込み部１２が設けられており、フォーク差込み部１２の上縁部は、下面リブ１１の下縁部と同じ高さとなっている。
【００２０】
また、図２、図３、図６等に示すように、各脚部１０は、底壁部９の下面の隅部から下方に突出する隅柱部１０１と、底壁部９の下面の短側辺部の中央部から下方に突出する中間柱部１０２と、底壁部９の短側辺部に沿って並ぶ各隅柱部１０１と中間柱部１０２との下端部間を連結する連結部１０３とを備え、中間柱部１０２と、各隅柱部１０１との間に、前記フォーク差込み部１２が形成されている。
【００２１】
図１、図７、図８等に示すように、長辺側側壁部６は、厚み方向に貫通する開口部１５が設けられた側壁本体１４と、開口部１５を開放する開状態と、開口部１５を閉鎖する閉状態とに状態変化可能な扉部１６とを具備している。長辺側側壁部６の側壁本体１４は、底壁部９から上方に延びる略平板状の長辺側ベース壁部１８と、長辺側ベース壁部１８の外面から外方に突出する長辺側補強リブ１９とを備えている。本実施形態では、底壁構成部５と、短辺側側壁部７と、長辺側側壁部６の側壁本体１４とが一体的に形成されている。
【００２２】
さらに、本実施形態では、長辺側側壁部６の高さ方向の丁度中間位置よりも若干上方の位置から上側の大部分（短辺側側壁部７と連接している部位以外）が開口部１５となっており、開口部１５は上方にも開口している。また、扉部１６は、長辺側側壁部６の側壁本体１４の開口部１５の下縁部に対して、平行２軸ヒンジよりなるヒンジ部材２１を介して回動可能に連結されており、容器本体２の外方側に開放可能に構成されている。さらに、長辺側補強リブ１９は、開口部１５に沿って設けられた開口補強リブ２２を備えている。以下、開口補強リブ２２のうち、開口部１５の下縁部に沿って設けられている部位を「開口下部補強リブ２２ａ」とも称し、開口部１５の側縁部に沿って設けられている部位を「開口側部補強リブ２２ｂ」とも称する（図４等参照）。
【００２３】
加えて、図４、図７等に示すように、扉部１６は、略平板状の扉側ベース壁部２３と、扉側ベース壁部２３の外面から外方に突出する扉側補強リブ２４とを備えている。図７に示すように、扉部１６が閉状態とされた場合には、扉部１６の下辺部（扉側ベース壁部２３の下辺部に沿って設けられた扉側補強リブ２４）が開口下部補強リブ２２ａの上面に当接して支持されるとともに、扉部１６（扉側ベース壁部２３）の内面と、側壁本体１４（長辺側ベース壁部１８）の内面とがほぼ面一とされ、扉部１６の外面（扉側補強リブ２４の外縁部）と、側壁本体１４の外面（長辺側補強リブ１９の外縁部）とがほぼ面一とされるようになっている。その一方で、図８に示すように、閉状態にある扉部１６が開状態とされる場合には、扉部１６が容器本体２の外方側に回動するとともに、ヒンジ部材２１が容器本体２の外方側に傾動することに伴って、ヒンジ部材２１と連結されている扉部１６の下縁部が側壁本体１４の厚み程度の距離を容器本体２の外方側に変位し、扉部１６が１８０度程度回動したところで、扉部１６がヒンジ部材２１から垂下するような格好となる。これにより、扉部１６が開状態とされた場合には、扉部１６の外面側と、側壁本体１４の外面側とが対向して当接（又は近接）配置されるようになっている。
【００２４】
また、図１、図８等に示すように、長辺側側壁部６の側壁本体１４には、開口側部補強リブ２２ｂのうち容器本体２の内方側の部位（長辺側ベース壁部１８のうち開口側部補強リブ２２ｂに対応する部位）から開口部１５の内周側に突出する内倒れ防止部２５が設けられており、閉状態とされた扉部１６の内面側の両側部と当接、又は、近接するようになっている。さらに、開口側部補強リブ２２ｂの上端部近傍部位から開口部１５の内周側に突出する扉抜け防止部２６が設けられており、閉状態とされた扉部１６の上面の両側部と当接、又は、近接するようになっている。
【００２５】
加えて、図１、図５等に示すように、長辺側側壁部６と、短辺側側壁部７とが連結された各コーナー部の上面側には、上方に突出する段積み用凸部２７が設けられている。さらに、図３、図６に示すように、底壁構成部５の一対の脚部１０の下面側には、容器１同士を同じ向きで積み重ねる（段積みする）場合に、下側の容器１の段積み用凸部２７が挿入される段積み用凹部２８が設けられている。尚、図１、図４等に示すように、長辺側側壁部６、及び、短辺側側壁部７の上面において、各段積み用凸部２７の周辺部の高さよりも、閉状態にある扉部１６の上辺部の高さが低く構成されている。
【００２６】
また、図２等に示すように、扉部１６の外面側の両側部近傍部位には、閉状態にある扉部１６の開状態側への変位を規制する規制状態と、閉状態にある扉部１６の開状態側への変位が許容される許容状態とに状態変化可能なロック部材２９が取付けられている。
【００２７】
さて、図３、図９、図１０等に示すように、本実施形態の脚部１０は、底壁部９と一体的に形成される脚部本体１０ａと、脚部本体１０ａとは別体として構成されるとともに、脚部本体１０ａに対して取付けられ、容器１が床面等の設置面に設置される場合に、該設置面に面で接地する接地部材３１とを備えている。図１２、図１３等に示すように、接地部材３１は、平面視略正方形状の板状体から１つの角部を含んだ平面視略矩形状の範囲を切欠いたような平面視略Ｌ字状をなすベース板部３２と、ベース板部３２の外角側の２辺部、ベース板部３２の内角側の２辺部、及び、ベース板部３２の両端部の２辺部からそれぞれ上方（脚部１０への取付方向側）に突出する位置決め片部３３とを備えている。尚、本実施形態の接地部材３１は、鉄により一体的に形成されている。
【００２８】
これに対し、図１１に示すように、各脚部１０の脚部本体１０ａのうち各隅柱部１０１に対応する部位である隅柱本体１０１ａは、底壁構成部５（底壁部９）の各側辺部と略平行する方向に延びる４つの外壁部１０４を具備し、下方に開口する略筒状をなしている。また、隅柱本体１０１ａの下面側には、下面視で略正方形状に区画された前記段積み用凹部２８と、下面視で略Ｌ字形状に区画され、接地部材３１が取付けられる取付部４１とが設けられている。
【００２９】
さらに、隅柱本体１０１ａは、隅柱本体１０１ａの外面を構成する４つの外壁部１０４のうち底壁部９の外周側に面する２つの外壁部１０４の内面に対して両端部が連結される下面視略Ｌ字状の隔壁部４２を備え、当該隔壁部４２を境にして、底壁部９のコーナー部側に段積み用凹部２８が設けられ、底壁部９の中央部側に取付部４１が設けられている。尚、本実施形態では、段積み用凹部２８や取付部４１において、適宜、外壁部１０４や隔壁部４２から段積み用凹部２８、又は、取付部４１の内側に突出する補強用のリブが設けられている、また、前述の接地部材３１の位置決め片部３３は、当該補強用のリブを避けた位置に設けられている。
【００３０】
また、図１２、図１３に示すように、接地部材３１は、複数の位置決め片部３３のうちベース板部３２の両端部に設けられた位置決め片部３３の外面から外方に突出する係止部３５を備えている。さらに、接地部材３１は、複数の位置決め片部３３のうちベース板部３２の外辺部に設けられた位置決め片部３３であって、なおかつ、当該位置決め片部３３のうち前記係止部３５が設けられた位置決め片部３３と対向する部位の外面から外方に突出する押圧部３６を備えている。
【００３１】
これに対し、図９等に示すように、取付部４１には、底壁部９の外周側に面する外壁部１０４のうち取付部４１を構成する部位において、当該外壁部１０４を貫通する孔状の被係止部４４が設けられている。接地部材３１の取付部４１への取付状態では、接地部材３１の係止部３５が取付部４１の被係止部４４に挿入され、係止部３５の下面と、被係止部４４の下縁部とが上下に対向して、当接、又は、近接する（係止される）ようになっている。さらに、接地部材３１の取付部４１への取付状態では、押圧部３６が取付部４１の内側面に圧接するよう構成されている。
【００３２】
加えて、容器１が設置面に設置された状態では、位置決め片部３３の上端部が取付部４１の上縁部に当接し、ベース板部３２の下面が、脚部本体１０ａ（隅柱本体１０１ａ）の下面と面一とされて、脚部本体１０ａの下面とともに設置面に接地するようになっている。本実施形態では、接地部材３１のベース板部３２の下面が、部材接地面に相当する。また、本実施形態では、隅柱本体１０１ａの下縁部のうち段積み用凹部２８を区画する部位は、その他の部位よりも一段高くなっており、容器１を水平な設置面に設置した場合に接地しないようになっている。但し、容器１の段積み状態においては、上側の容器１の隅柱本体１０１ａの下縁部のうち、段積み用凹部２８を区画する部位についても、その他の部位とともに、下側の容器１の段積み用凸部２７の周辺部に対して上下に当接して支持されるように、長辺側側壁部６と短辺側側壁部７とのコーナー部の上辺部が段差形状をなしている。
【００３３】
尚、図１１に示すように、取付部４１には、ボルト取付穴４６が設けられており、ボルトを使用して取付部４１に固定するタイプの接地部材を取付けることも可能である。
【００３４】
以上詳述したように、本実施形態によれば、脚部本体１０ａ（隅柱本体１０１ａ）の下面側に接地部材３１を取付けることで、容器１が設置される設置面に対して接地する脚部１０の接地面（本例では、脚部本体１０ａの下縁部、及び、接地部材３１の下面）の面積を比較的大きく確保することができる。これにより、容器１をチェーンコンベアやローラコンベアで搬送する場合においても、当該コンベアとの接地（接触）面積が増え、脚部１０の接地面と、コンベアとのかかり具合を良好なものとすることができる。従って、コンベアが空回りする等の事態を回避することができ、コンベアによる搬送効率の向上を図ることができる。
【００３５】
また、脚部１０の接地面の全体がリブ形状の場合に比べ、接地面を摩耗し難くすることができる上、接地面（接地部材３１）の一部が摩耗したとしても、接地面（接地部材３１）のその他の部位で、コンベア等への接地面積を確保することができ、摩耗の影響を小さくすることができる。従って、接地面が摩耗して、設置面やコンベアへの接地面積が小さくなってしまい、設置面に設置した場合にがたつきが生じたり、コンベアでの搬送に際し前記空回りや容器１の搬送方向が曲がる等の事態が発生したりすることを防止することができる。
【００３６】
さらに、接地部材３１が取付けられる脚部本体１０ａ（隅柱本体１０１ａ）の下面側はリブ形状とすることができ、脚部本体１０ａの上下方向における圧縮強度を確保しつつ、脚部本体１０ａを形成する金型構造の複雑化を抑制することができる。加えて、接地部材３１は、脚部本体１０ａとは別部材であって、脚部１０の専用部材のため、比較的容易に形状の精度を高くすることができる。従って、脚部１０の接地面（接地部材３１）の歪み等によって、コンベアでの搬送効率が下がるといった事態を回避することができる。また、接地部材３１は、劣化に応じて新しいものに交換したり、用途に応じて別種類のものに付替えたりすることも比較的容易に行うことができる。従って、脚部１０の下面側に不具合が生じただけで、容器１の全体を交換したり、脚部１０の下面側の形状を変更したいだけで、容器１を複数種類用意したりすることを回避することができ、汎用性・利便性の向上、低コスト化、保管時の省スペース化等を図ることができる。
【００３７】
さらに、接地部材３１は、取付部４１に設けられた被係止部４４に係止される係止部３５を備えている。このため、接地部材３１の取付部４１からの脱落を防止することができる上、取付部４１に対して接地部材３１をねじ等で取付ける場合に比べ、取付作業性の向上等を図ることができる。加えて、接地部材３１は、位置決め片部３３の外面から外方に突出する押圧部３６を備え、接地部材３１の取付部４１への取付状態において、押圧部３６が取付部４１の内面に圧接されるようになっている。このため、押圧部３６において接地部材３１と取付部４１とが圧接されることとなり、取付部４１への取付状態にある接地部材３１のガタツキを防止することができる。特に、押圧部３６は、接地部材３１のうち係止部３５が設けられた位置決め片部３３と対向する位置決め片部３３の外面側に設けられているため、係止部３５の被係止部４４との係止状態が解除される側への変位を防止することができ、接地部材３１の取付部４１からの脱落をより確実に防止することができる。また、押圧部３６に代えて、係止部３５、及び、被係止部４４の数を増やす場合に比べ、接地部材３１、及び、取付部４１（成型金型）の構造の複雑化等を抑止しつつ、接地部材３１の取付状態の安定化を図ることができる。
【００３８】
加えて、接地部材３１のベース板部３２の下面は、隅柱本体１０１ａの内側の２側面に沿った（容器１の長手幅方向に沿って延びる辺部と、容器１の短手幅方向に沿って延びる辺部とを備える）略Ｌ字状となしている。このため、底壁構成部５（底壁部９）の長側辺部をコンベアの搬送方向に平行させる向きで容器１をコンベアに載せる場合、及び、底壁構成部５の短側辺部をコンベアの搬送方向に平行させる向きで容器１をコンベアに載せる場合のどちらにおいても、ローラコンベアのローラ、或いは、チェーンコンベアのチェーン等のワークと直接当接してワークを送る部材の長手幅方向に対して交差する方向における接地部材３１の幅を確保することができる。従って、コンベアに載せる容器１の向きによっては、コンベアと、接地部材３１の下面とのかかり具合が悪くなってしまい、コンベアによる搬送効率の向上を図るといった作用効果が上手く奏されなくなってしまうといった事態を回避することができる。
【００３９】
尚、上記実施形態の記載内容に限定されず、例えば次のように実施してもよい。勿論、以下において例示しない他の応用例、変更例も当然可能である。
【００４０】
（ａ）上記実施形態では、接地部材３１において係止部３５、及び、押圧部３６が設けられているが、一方、又は、両方を省略することとしてもよい。尚、両方を省略する場合には、ボルトやねじ等の別の方法で接地部材３１の脱落を防止することが望ましい。また、上記実施形態では、取付部４１に対してボルトで取付けるタイプの接地部材についても取付可能に構成されている（取付部４１にボルト取付穴４６を備えている）が、かかるタイプの接地部材を取付不可能な構成としてもよい。
【００４１】
さらに、上記実施形態では、接地部材３１に押圧部３６が設けられ、接地部材３１の取付部４１への取付状態において、押圧部３６が取付部４１の内側面に圧接するよう構成されているが、押圧部３６を取付部４１の内側面から突出させる構成とし、接地部材３１の取付部４１への取付状態において、押圧部３６が接地部材３１の位置決め片部３３の外面に圧接するよう構成してもよい。
【００４２】
（ｂ）上記実施形態では、接地部材３１の下面の形状が略Ｌ字状をなしているが、例えば、略矩形状、略環状に構成する等、適宜変更可能である。また、上記実施形態では、隅柱部１０１を下面視した場合に、段積み用凹部２８が底壁部９のコーナー部側に配置され、取付部４１が底壁部９の中央部側に配置されているが、特にかかる構成に限定されるものではなく、例えば、段積み用凹部２８が底壁部９の中央部側に配置され、取付部４１が底壁部９のコーナー部側に配置されるように構成してもよい。さらに、上記実施形態では、取付部４１に取付けられた接地部材３１の下面が、脚部本体１０ａの下面と略面一とされているが、接地部材３１の下面を脚部本体１０ａの下面よりも下方に位置させるように構成してもよい。この場合、接地部材３１以外の脚部１０（脚部本体１０ａ）の下面の保護を図ることができ、容器１（特に、脚部本体１０ａ）の耐久性の向上等を図ることができる。加えて、上記実施形態では、隅柱本体１０１ａの下面のうち段積み用凹部２８を区画する部位が、その他の部位よりも一段高く構成されているが、その他の部位と面一としてもよい。
【００４３】
（ｃ）上記実施形態では、扉部１６は、側壁本体１４の開口部１５の下縁部（開口下部補強リブ２２ａ）に対して回動変位可能に連結されているが、扉部が側壁本体に対して着脱自在に構成されていてもよい。さらに、上記実施形態では、一対の長辺側側壁部６においてそれぞれ扉部１６が設けられる構成となっているが、かかる構成に代えて、又は、加えて、短辺側側壁部７に扉部が設けられる構成としてもよいし、一方の長辺側側壁部６にのみ扉部１６が設けられる構成としてもよい。加えて、上記実施形態では、側壁本体１４に設けられた開口部１５が側壁本体１４の厚み方向に貫通するだけでなく、上方に開口するように構成されているが、側壁本体１４において開口部１５の上方を閉塞する部位が設けられるように構成してもよい。
【００４４】
（ｄ）上記実施形態では、容器１はポリプロピレンにより構成されているが、ポリエチレン、ＰＥＴ、ポリアミド等その他の樹脂材料により構成されることとしてもよい。加えて、上記実施形態では、接地部材３１が鉄により構成されているが、その他の金属や、ポリプロピレン、ポリカーボネート等の樹脂により構成してもよい。尚、接地部材３１を脚部本体１０ａよりも硬い素材により構成することで、脚部１０の下面の摩耗等をより確実に抑制することができる。また、上記実施形態では、底壁構成部５においてフォーク差込み部１２を有する脚部１０が設けられ、フォークリフト等で運搬可能な容器１に具体化されているが、脚部、及び、フォーク差込み部のない容器に適用してもよい。さらに、仕切り板４が設けられない容器に適用することも可能である。
【符号の説明】
【００４５】
１…容器、２…容器本体、３…収容空間、５…底壁構成部、６…長辺側側壁部、７…短辺側側壁部、９…底壁部、１０…脚部、１０ａ…脚部本体、３１…接地部材、３２…ベース板部、３３…位置決め片部、３５…係止部、３６…押圧部、４１…取付部、４４…被取付部、１０１…隅柱部、１０１ａ…隅柱本体、１０４…外壁部。
【図１】
2020142815.tif 000003
【図２】
2020142815.tif 000004
【図３】
2020142815.tif 000005
【図４】
2020142815.tif 000006
【図５】
2020142815.tif 000007
【図６】
2020142815.tif 000008
【図７】
2020142815.tif 000009
【図８】
2020142815.tif 000010
【図９】
2020142815.tif 000011
【図１０】
2020142815.tif 000012
【図１１】
2020142815.tif 000013
【図１２】
2020142815.tif 000014
【図１３】
2020142815.tif 000015